(57)【要約】【課題】多数の移動局が特定の基地局のセル内に集中した場合に、ＨＯ処理を自律的に行い、かつ、接続数制御によって発生する強制的なＨＯ処理に起因した信号の干渉を抑えること。【解決手段】基地局は、監視部と、選択部と、制御部と、ハンドオーバ指示部とを備えた。監視部は、自局のセルに現に接続している移動局である接続移動局の数を監視する。選択部は、接続移動局の数がセルに接続可能な移動局の数を示す閾値を超過した場合に、接続移動局の中から、接続先を自局のセルから他のセルへ切り替えるハンドオーバ処理を実行させる移動局であるハンドオーバ候補を選択する。制御部は、ハンドオーバ候補として選択された移動局が他のセルに接続した場合の受信品質に基づいて、自局のセルから送信される送信信号に係るパラメータを制御する。ハンドオーバ指示部は、ハンドオーバ候補として選択された移動局に対してハンドオーバ処理の実行を指示する。【選択図】図２
2014236504.tif 000002
【特許請求の範囲】
【請求項１】
自局のセルに現に接続している移動局である接続移動局の数を監視する監視部と、
前記接続移動局の数が前記セルに接続可能な移動局の数を示す閾値を超過した場合に、前記接続移動局の中から、接続先を前記セルから前記セルと異なる他のセルへ切り替えるハンドオーバ処理を実行させる移動局であるハンドオーバ候補を選択する選択部と、
前記ハンドオーバ候補として選択された移動局が前記他のセルに接続した場合の受信品質に基づいて、前記セルから送信される送信信号に係るパラメータを制御する制御部と、
前記ハンドオーバ候補として選択された移動局に対して前記ハンドオーバ処理の実行を指示するハンドオーバ指示部と
を備えたことを特徴とする基地局。
【請求項２】
前記選択部は、前記接続移動局のうち前記セルから送信される前記送信信号に応じた受信電力または受信品質が最小となる移動局を前記ハンドオーバ候補として選択することを特徴とする請求項１に記載の基地局。
【請求項３】
前記選択部は、前記接続移動局のうち前記他のセルから送信される信号に応じた受信電力または受信品質が最大となる移動局を前記ハンドオーバ候補として選択することを特徴とする請求項１に記載の基地局。
【請求項４】
前記選択部は、前記ハンドオーバ候補として選択した、受信電力または受信品質が最大となる移動局の前記受信電力または前記受信品質が所定値を満たすか否かを判定し、前記受信電力または前記受信品質が前記所定値を満たさない場合に、前記接続移動局のうち前記セルから送信される前記送信信号に応じた受信電力または受信品質が最小となる移動局を前記ハンドオーバ候補として新たに選択することを特徴とする請求項３に記載の基地局。
【請求項５】
前記パラメータは、前記送信信号の送信に用いられる送信電力であり、
前記制御部は、前記ハンドオーバ候補として選択された移動局が前記他のセルに接続した場合の受信品質に基づいて、前記送信電力を低減させる制御を実行することを特徴とする請求項１〜４のいずれか一つに記載の基地局。
【請求項６】
前記制御部は、算出対象となる制御量だけ低減させた前記送信電力を用いて前記送信信号が前記セルから送信されたと仮定した場合に、前記ハンドオーバ候補として選択された移動局が前記他のセルに接続した場合の受信品質を推定し、推定した受信品質を目標値に一致させる前記制御量を算出し、算出した前記制御量を基に前記送信電力を低減させる制御を実行することを特徴とする請求項５に記載の基地局。
【請求項７】
前記制御部は、さらに、算出対象となる制御量だけ低減させた前記送信電力を用いて前記送信信号が前記セルから送信されたと仮定した場合に、前記ハンドオーバ候補として選択されなかった移動局が前記セルから送信される前記送信信号を受信した場合の受信品質を推定し、推定した受信品質が所定の下限値を下回らないように前記制御量の上限値を規定することを特徴とする請求項６に記載の基地局。
【請求項８】
前記制御部は、前記送信電力を低減させる制御の実行を開始してから所定時間が経過した場合に、低減させた前記送信電力を前記制御の実行前の値まで回復させることを特徴とする請求項５〜７のいずれか一つに記載の基地局。
【請求項９】
前記制御部は、前記送信電力を低減させる制御を実行している期間において、前記監視部によって監視される前記接続移動局の数が前記閾値以下となった場合に、低減させた前記送信電力を前記制御の実行前の値まで回復させることを特徴とする請求項５〜７のいずれか一つに記載の基地局。
【請求項１０】
前記ハンドオーバ指示部は、前記ハンドオーバ候補として選択された移動局を前記他のセルに接続する旨を要求するハンドオーバ要求を前記他のセルを形成する他の基地局に送信し、前記ハンドオーバ要求を容認する容認応答を前記他の基地局から受信した場合に、前記ハンドオーバ候補として選択された移動局に対して前記ハンドオーバ処理の実行を指示する指示信号を送信することを特徴とする請求項１〜９のいずれか一つに記載の基地局。
【請求項１１】
前記セルに接続していない移動局である未接続移動局からの接続要求が受信された場合に、前記未接続移動局を前記接続移動局として前記セルに接続する接続部をさらに備え、
前記選択部は、前記接続部によって前記未接続移動局が前記セルに接続された後に、前記監視部によって監視された前記接続移動局の数が前記閾値を超過したか否かを判定し、前記接続移動局の数が前記閾値を超過した場合に、前記接続移動局の中から前記ハンドオーバ候補を選択し、
前記ハンドオーバ指示部は、前記ハンドオーバ候補として選択された移動局に対して前記ハンドオーバ処理の実行を指示することを特徴とする請求項１〜１０のいずれか一つに記載の基地局。
【請求項１２】
前記セルに接続していない移動局である未接続移動局からの接続要求が受信された場合に、前記未接続移動局を前記接続移動局として前記セルに接続する接続部をさらに備え、
前記選択部は、前記接続要求が受信された場合に、前記接続部によって前記未接続移動局が前記接続移動局として前記セルに接続される前に、前記監視部によって監視された前記接続移動局の数が前記閾値を超過したか否かを判定し、前記接続移動局の数が前記閾値を超過した場合に、前記接続移動局の中から前記ハンドオーバ候補を選択し、
前記ハンドオーバ指示部は、前記ハンドオーバ候補として選択された移動局に対して前記ハンドオーバ処理の実行を指示し、
前記接続部は、前記ハンドオーバ処理の実行が指示された後に、前記未接続移動局を前記接続移動局として前記セルに接続することを特徴とする請求項１〜１０のいずれか一つに記載の基地局。
【請求項１３】
自局のセルに現に接続している移動局である接続移動局の数を監視し、
前記接続移動局の数が前記セルに接続可能な移動局の数を示す閾値を超過した場合に、前記接続移動局の中から、接続先を前記セルから他のセルへ切り替えるハンドオーバ処理を実行させる移動局であるハンドオーバ候補を選択し、
前記セルから送信される送信信号のうち前記ハンドオーバ候補として選択された移動局に達する信号が減少するように、前記送信信号に係るパラメータを制御し、
前記ハンドオーバ候補として選択された移動局に対して前記ハンドオーバ処理の実行を指示する
ことを特徴とするハンドオーバ制御方法。
【発明の詳細な説明】
【技術分野】
【０００１】
本発明は、基地局およびハンドオーバ制御方法に関する。
【背景技術】
【０００２】
近年、フェムト基地局と呼ばれる基地局が知られている。フェムト基地局としては、例えば、マクロ基地局のマクロセルやピコ基地局のピコセルよりも小さい範囲をカバーするフェムトセルを形成する基地局が挙げられる。フェムト基地局の用途としては、例えば地下や建物内など電波が届きにくい環境において、ユーザ向けのサービス提供を行うことが挙げられる。
【０００３】
ここで、フェムト基地局を用いる場合には、不特定多数のユーザが存在するショッピングモールや駅などの屋内のスポットにフェムト基地局を設置することがある。この場合、多数の移動局が特定のフェムト基地局のフェムトセル内に一時的に集中することによってフェムト基地局の負荷が急増することが想定される。
【０００４】
ただし、フェムト基地局では、装置サイズや通信負荷の観点から、フェムトセルに接続可能な移動局の数が、マクロ基地局やピコ基地局と比較して、小さい。このため、多数の移動局が特定のフェムト基地局のフェムトセル内に一時的に集中した場合には、各移動局がフェムト基地局に接続することが困難となる。
【０００５】
これに対して、移動局からの接続要求がフェムト基地局に到着した順序で、移動局をフェムトセルに接続する接続方式が知られている。この接続方式では、フェムト基地局は、自フェムトセルに現に接続している移動局の数を監視し、接続している移動局の数が予め定められた閾値に達した場合に、新規の移動局からの接続要求を拒否する。これにより、多数の移動局が特定の基地局のセル内に集中した場合には、特定の基地局に現に接続している移動局の通信が保障される。
【先行技術文献】
【特許文献】
【０００６】
【特許文献１】特開２０１１−１８２００９号公報
【特許文献２】特開２０１０−２８３４４０号公報
【発明の概要】
【発明が解決しようとする課題】
【０００７】
しかしながら、移動局からの接続要求がフェムト基地局に到着した順序で移動局をフェムトセルに接続する従来の接続方式では、多数の移動局が特定の基地局のセル内に集中した場合に、移動局の接続先を他のセルに適切に切り替えることまでは考慮されていない。
【０００８】
すなわち、従来の接続方式では、フェムト基地局のフェムトセルに現に接続している移動局（以下「既存の移動局」という）の数が閾値に達した場合に、新規の移動局からの接続要求が拒否される。このため、新規の移動局は、フェムトセルに接続されない。
【０００９】
このような従来技術の問題点を図２２および図２３を参照して説明する。図２２および図２３は、従来技術の問題点を説明するための説明図である。例えば、図２２に示すように、フェムト基地局ＨｅＮＢ＃１のフェムトセル１に既存の移動局ＵＥ＃１が現に接続しており、移動局ＵＥ＃２が未だ接続しておらず、かつ、フェムトセル１に接続し得る移動局の数の閾値が「１」である状況を想定する。また、図２２に示す例では、新規の移動局ＵＥ＃２に対してフェムトセル１から送信される信号に応じた受信電力が、既存の移動局ＵＥ＃１に対してフェムトセル１から送信される信号に応じた受信電力よりも大きいものとする。この場合、フェムト基地局ＨｅＮＢ＃１は、フェムトセル１に現に接続している移動局の数が閾値「１」に達しているため、既存の移動局ＵＥ＃１よりも受信電力が大きい新規の移動局ＵＥ＃２からの接続要求を拒否する。このため、新規の移動局ＵＥ＃２は、フェムトセル１に接続されない。
【００１０】
また、例えば、図２３に示すように、フェムト基地局ＨｅＮＢ＃１のフェムトセル１に既存の移動局ＵＥ＃１が現に接続しており、移動局ＵＥ＃２が未だ接続しておらず、かつ、フェムトセル１に接続し得る移動局の数の閾値が「１」である状況を想定する。また、図２３に示す例では、既存の移動局ＵＥ＃１が、フェムト基地局ＨｅＮＢ＃１と隣接するフェムト基地局ＨｅＮＢ＃２の他のフェムトセル２とフェムトセル１とのセル境界に位置しているものとする。この場合、フェムト基地局ＨｅＮＢ＃２の他のフェムトセル２から送信される信号の一部が既存の移動局ＵＥ＃１に到達する。したがって、既存の移動局ＵＥ＃１において、フェムトセル１と同程度の受信電力がフェムトセル２からも得られることが期待される。しかしながら、フェムトセル１に現に接続している移動局の数が閾値「１」に達している。このため、フェムト基地局ＨｅＮＢ＃１は、フェムトセル１から送信される信号に応じた受信電力が十分に大きいことが期待される新規の移動局ＵＥ＃２からの接続要求を拒否する。このため、新規の移動局ＵＥ＃２は、フェムトセル１に接続されない。
【００１１】
さらに、図２３の例において、フェムトセル１に接続されなかった移動局ＵＥ＃２が、他のフェムトセル２に接続する状況も想定される。しかしながら、この状況では、フェムトセル１から移動局ＵＥ＃２への下り被干渉や、移動局ＵＥ＃２からフェムトセル１への上り与干渉が発生する恐れがある。
【００１２】
図２２および図２３に例示された状況に対して、負荷分散の観点から、既存の移動局の接続先をフェムトセルから他のセルに切り替える処理を自律的に行うことが考えられる。既存の移動局の接続先を他のセルに切り替える処理は、ハンドオーバ（ＨＯ：Hand  Over）処理と呼ばれる。ただし、単にＨＯ処理が自律的に行われただけでは、ＨＯ元のフェムトセルから送信される信号と、ＨＯ先の他のセルから送信される信号との干渉が増大する恐れがある。
【００１３】
開示の技術は、上記に鑑みてなされたものであって、多数の移動局が特定の基地局のセル内に集中した場合に、ＨＯ処理を自律的に行い、かつ、接続数制御によって発生する強制的なＨＯ処理に起因した信号の干渉を抑えることができる基地局およびハンドオーバ制御方法を提供することを目的とする。
【課題を解決するための手段】
【００１４】
本願の開示する基地局は、一つの態様において、監視部と、選択部と、制御部と、ハンドオーバ指示部とを備えた。監視部は、自局のセルに現に接続している移動局である接続移動局の数を監視する。選択部は、前記接続移動局の数が前記セルに接続可能な移動局の数を示す閾値を超過した場合に、前記接続移動局の中から、接続先を前記セルから前記セルと異なる他のセルへ切り替えるハンドオーバ処理を実行させる移動局であるハンドオーバ候補を選択する。制御部は、前記ハンドオーバ候補として選択された移動局が前記他のセルに接続した場合の受信品質に基づいて、前記セルから送信される送信信号に係るパラメータを制御する。ハンドオーバ指示部は、前記ハンドオーバ候補として選択された移動局に対して前記ハンドオーバ処理の実行を指示する。
【発明の効果】
【００１５】
本願の開示する基地局の一つの態様によれば、多数の移動局が特定の基地局のセル内に集中した場合に、ＨＯ処理を自律的に行い、かつ、ＨＯ処理に起因した信号の干渉を抑えることができるという効果を奏する。
【図面の簡単な説明】
【００１６】
【図１】図１は、実施例１に係るフェムト基地局を含む無線通信システムの全体構成を示す図である。
【図２】図２は、実施例１に係るフェムト基地局の構成を示すブロック図である。
【図３】図３は、送信電力が低減された場合のフェムトセルのカバレッジの変動を示す図である。
【図４】図４は、送信電力を回復させる処理を説明するための説明図である。
【図５】図５は、実施例１に係るフェムト基地局が、未接続移動局をフェムトセルに接続させた後にＨＯ候補として選択した移動局に対してＨＯ処理を実行させる処理の流れを説明するための説明図である。
【図６】図６は、実施例１に係るフェムト基地局によるＨＯ制御処理の処理手順を示すフローチャートである。
【図７】図７は、実施例１に係るフェムト基地局によるＨＯ候補選択処理、送信電力制御処理およびＨＯ指示処理の全体の流れの一例を示すシーケンス図である。
【図８】図８は、実施例１に係るフェムト基地局によるＨＯ候補選択処理の処理手順を示すフローチャートである。
【図９】図９は、実施例１に係るフェムト基地局による送信電力制御処理の処理手順を示すフローチャートである。
【図１０】図１０は、実施例１に係るフェムト基地局による送信電力回復処理の処理手順を示すフローチャートである。
【図１１】図１１は、実施例２に係るフェムト基地局の構成を示すブロック図である。
【図１２】図１２は、実施例２に係るフェムト基地局によるＨＯ候補選択処理の処理手順を示すフローチャートである。
【図１３】図１３は、実施例３に係るフェムト基地局の構成を示すブロック図である。
【図１４】図１４は、実施例３に係るフェムト基地局によるＨＯ候補選択処理の処理手順を示すフローチャートである。
【図１５】図１５は、実施例４に係るフェムト基地局の構成を示すブロック図である。
【図１６】図１６は、送信電力を回復させる処理を説明するための説明図である。
【図１７】図１７は、実施例４に係るフェムト基地局による送信電力回復処理の処理手順を示すフローチャートである。
【図１８】図１８は、実施例５に係るフェムト基地局の構成を示すブロック図である。
【図１９】図１９は、実施例５に係るフェムト基地局が、ＨＯ候補として選択した移動局に対してＨＯ処理を実行させた後に未接続移動局をフェムトセルに接続させる処理の流れを説明するための説明図である。
【図２０】図２０は、実施例５に係るフェムト基地局によるＨＯ制御処理の処理手順を示すフローチャートである。
【図２１】図２１は、フェムト基地局のハードウェア構成例を示す図である。
【図２２】図２２は、従来技術の問題点を説明するための説明図である。
【図２３】図２３は、従来技術の問題点を説明するための説明図である。
【発明を実施するための形態】
【００１７】
以下に、本願の開示する基地局およびハンドオーバ制御方法の実施例を図面に基づいて詳細に説明する。なお、この実施例により開示技術が限定されるものではない。例えば、以下の実施例では、基地局の一例として、マクロ基地局のマクロセルやピコ基地局のピコセルよりも小さい範囲をカバーするフェムトセルを形成するフェムト基地局を挙げて説明する。しかしながら、開示技術はこれに限られず、マクロ基地局やピコ基地局に対して以下の実施例を適用することができる。
【実施例１】
【００１８】
図１は、実施例１に係るフェムト基地局を含む無線通信システムの全体構成を示す図である。図１に示す無線通信システムは、移動局２０ａ，２０ｂと、フェムト基地局１０−１と、他の基地局１０−２とを有する。
【００１９】
図１において、フェムト基地局１０−１のフェムトセル１に移動局２０ａ，２０ｂが現に接続している。移動局２０ａ，２０ｂのうち移動局２０ａは、フェムト基地局１０−１と隣接する他の基地局１０−２のセル２（以下適宜「隣接セル２」と表記する）と、フェムトセル１とのセル境界に位置する。このため、隣接セル２から送信される信号の一部が移動局２０ａに干渉信号として到達する。
【００２０】
ここで、フェムトセル１に接続可能な移動局の数は、所定の閾値に制限される。図１の例では、フェムトセル１に接続可能な移動局の数を示す閾値（以下適宜「閾値」と言う）は、「１」であるものとする。そこで、本実施例は、フェムトセル１に現に接続している移動局の数を減らすために、移動局２０ａ，２０ｂのうちのいずれかの接続先をフェムトセル１から隣接セル２に切り替える処理（以下「ハンドオーバ（ＨＯ：Hand  Over）処理」という）を自律的に行う。ＨＯ処理を自律的に行うとは、例えば、フェムト基地局が隣接フェムト間で直接的にやり取りするための特別なインタフェース（X2など）を持たず、かつ、複数のフェムトを集中的に制御するコントローラの配下にいない状況の下で、ＨＯ処理を行うことを指す。以下では、ＨＯ処理を自律的に行うＨＯ制御方法の処理手順の一例を説明する。
【００２１】
例えば、フェムト基地局１０−１は、自局のフェムトセル１に現に接続している移動局である接続移動局の数を監視する。図１の例では、フェムト基地局１０−１は、フェムトセル１に移動局２０ａ，２０ｂの２つの移動局が現に接続しているので、接続移動局の数「２」を検出する。
【００２２】
フェムト基地局１０−１は、接続移動局の数がフェムトセル１に接続可能な移動局の数を示す閾値を超過した場合に、接続移動局の中から、接続先をフェムトセル１から隣接セル２へ切り替えるＨＯ処理を実行させるＨＯ候補を選択する。図１の例では、フェムト基地局１０−１は、接続移動局の数「２」が閾値「１」を超過するので、接続移動局である移動局２０ａ，２０ｂの中から、ＨＯ候補を選択する。ここでは、接続移動局となる移動局２０ａ，２０ｂの中から、フェムトセル１と隣接セル２とのセル境界に位置する移動局２０ａがＨＯ候補として選択されるものとする。移動局２０ａがＨＯ候補として選択されるのは、隣接セル２から送信される信号を移動局２０ａが十分なレベルで受信可能であるためである。
【００２３】
フェムト基地局１０−１は、フェムトセル１から送信される送信信号のうちＨＯ候補として選択された移動局に達する信号が減少するように、送信信号に係るパラメータを制御する。図１の例では、フェムトセル１と隣接セル２とのセル境界に位置する移動局２０ａがＨＯ候補として選択されている。このため、フェムト基地局１０−１は、フェムトセル１から送信される送信信号のうちＨＯ候補である移動局２０ａに達する信号が減少するように、送信信号に係るパラメータを制御する。本実施例では、送信信号に係るパラメータは、送信信号の送信に用いられる送信電力であるものとする。フェムト基地局１０−１は、例えば、フェムトセル１から送信される送信信号のうちＨＯ候補である移動局２０ａに達する信号が減少するように、送信電力を低減させる制御を行う。なお、送信信号に係るパラメータとしては、送信電力の他に、送信信号を空間に放射するアンテナの傾き（チルト）やゲイン等の、アンテナから放射される送信信号のビームパターンや指向性を変更するパラメータが用いられても良い。
【００２４】
フェムト基地局１０−１は、ＨＯ候補として選択された移動局に対してＨＯ処理の実行を指示する。図１の例では、フェムトセル１と隣接セル２とのセル境界に位置する移動局２０ａがＨＯ候補として選択されている。このため、フェムト基地局１０−１は、移動局２０ａに対してＨＯ処理の実行を指示する。これにより、移動局２０ａは、ＨＯ処理を実行して、接続先をフェムトセル１から隣接セル２へ切り替える。したがって、フェムトセル１に現に接続している移動局の数が「２」から「１」に変更される。
【００２５】
このように、本実施例のフェムト基地局１０−１は、多数の移動局が自局のフェムトセル１内に集中した場合に、多数の移動局からＨＯ候補を選択し、送信信号のうちＨＯ候補に達する信号が減少するように、送信信号に係るパラメータを制御する。このため、ＨＯ候補として選択された移動局の接続先をＨＯ先となる隣接セル２に適切に切り替え、かつ、ＨＯ元のフェムトセル１とＨＯ先の隣接セル２との信号の干渉を抑えることができる。結果として、本実施例によれば、多数の移動局が自局のフェムトセル１内に集中した場合に、ＨＯ処理を自律的に行い、かつ、ＨＯ処理に起因した信号の干渉を抑えることができる。
【００２６】
次に、図２を用いて、図１に示したフェムト基地局１０−１の構成を説明する。図２は、実施例１に係るフェムト基地局の構成を示すブロック図である。図２に示すように、フェムト基地局１０−１は、無線通信部１１、接続移動局数監視部１２、ＨＯ候補選択部１３、送信電力制御部１４、ＨＯ指示部１５および呼接続部１６を有する。なお、無線通信部１１は、例えばＲＦ（Radio  Frequency）回路等のアナログ回路により実現される。また、接続移動局数監視部１２、ＨＯ候補選択部１３、送信電力制御部１４、ＨＯ指示部１５および呼接続部１６は、例えばＣＰＵ（Central  Processing  Unit）またはＤＳＰ（Digital  Signal  Processor）等により実現される。
【００２７】
無線通信部１１は、アンテナ１１ａを介して、フェムトセル１内に在圏している移動局から送信される各種信号や各種データを送受信する。無線通信部１１からアンテナ１１ａを介して空間に放射される信号が、フェムトセル１から送信される送信信号となる。
【００２８】
例えば、無線通信部１１は、フェムトセル１に現に接続している移動局である接続移動局から送信された無線信号をアンテナ１１ａを介して受信すると、受信した無線信号を呼接続部１６へ出力する。
【００２９】
また、例えば、無線通信部１１は、フェムトセル１内に在圏するが、フェムトセル１に接続していない移動局である未接続移動局から送信された接続要求をアンテナ１１ａを介して受信すると、受信した接続要求を呼接続部１６へ出力する。
【００３０】
また、例えば、無線通信部１１は、フェムトセル１から送信される送信信号に応じた受信電力および受信品質等を含む測定値をアンテナ１１ａを介して接続移動局ごとに受信し、接続移動局ごとに受信した測定値をＨＯ候補選択部１３へ出力する。フェムトセル１から送信される送信信号に応じた受信電力とは、接続移動局がフェムトセル１から送信される送信信号を受信したときの受信電力である。フェムトセル１から送信される送信信号に応じた受信品質とは、接続移動局がフェムトセル１から送信される送信信号を受信したときの受信品質である。
【００３１】
また、例えば、無線通信部１１は、ＨＯ候補として選択された移動局に対してＨＯ処理の実行を指示する指示信号をＨＯ指示部１５から受信し、受信した指示信号をアンテナ１１ａを介してＨＯ候補として選択された移動局へ送信する。
【００３２】
接続移動局数監視部１２は、検出結果である接続移動局の数ＮＵＥの入力を呼接続部１６から受け付ける。接続移動局数監視部１２は、検出結果を用いて接続移動局の数ＮＵＥを監視する。接続移動局数監視部１２は、接続移動局の数ＮＵＥを監視結果としてＨＯ候補選択部１３へ出力する。
【００３３】
ＨＯ候補選択部１３は、監視結果の入力を接続移動局数監視部１２から受け付ける。ＨＯ候補選択部１３は、未接続移動局がフェムトセル１に接続されたタイミングの通知を呼接続部１６から受け付ける。ＨＯ候補選択部１３は、呼接続部１６によって未接続移動局がフェムトセル１に接続された後に、監視結果を基に、接続移動局の数ＮＵＥがフェムトセル１に接続可能な移動局の数を示す閾値Ｎｍａｘを超過した否かを判定する。本実施例における閾値Ｎｍａｘは、フェムトセル１に接続可能な移動局の数の上限値であって、フェムト基地局１０−１の装置スペックとして予め規定された上限値を示す最大接続数Ｍよりも小さい値に設定されているものとする。ＨＯ候補選択部１３は、接続移動局の数ＮＵＥが閾値Ｎｍａｘを超過した場合に、接続移動局の中から、ＨＯ候補を選択する。
【００３４】
ここで、ＨＯ候補選択部１３によるＨＯ候補選択処理の詳細を説明する。ＨＯ候補選択部１３は、接続移動局の数が閾値Ｎｍａｘを超過した場合に、接続移動局に対して受信電力および受信品質等を含む測定値を測定してフェムト基地局１０−１へ送信すべきことを示す測定指示を無線通信部１１を介して接続移動局へ送信する。ＨＯ候補選択部１３は、測定指示に応じて接続移動局によって報告された測定値を無線通信部１１を介して取得する。接続移動局によって報告された測定値には、例えば、フェムトセル１から送信される送信信号に応じた受信電力と、フェムトセル１から送信される送信信号に応じた受信品質とが含まれる。ＨＯ候補選択部１３は、接続移動局のうちフェムトセル１から送信される送信信号に応じた受信電力または受信品質が最小となる移動局をＨＯ候補として選択する。本実施例では、ＨＯ候補選択部１３は、フェムトセル１から送信される送信信号に応じた受信電力が最小となる移動局をＨＯ候補として選択する。ＨＯ候補選択部１３は、ＨＯ候補の選択を完了すると、その旨を示す選択完了通知およびＨＯ候補の情報を送信電力制御部１４およびＨＯ指示部１５へ出力する。
【００３５】
送信電力制御部１４は、選択完了通知およびＨＯ候補の情報をＨＯ候補選択部１３から受け付ける。送信電力制御部１４は、選択完了通知を契機として、フェムトセル１から送信される送信信号のうちＨＯ候補として選択された移動局に達する信号が減少するように、送信信号の送信に用いられる送信電力（以下適宜「送信電力」という）を低減させる制御を行う。例えば、送信電力制御部１４は、無線通信部１１に内蔵されたアンプの利得を調整することによって、送信電力を低減させる制御を行う。
【００３６】
ここで、送信電力制御部１４による送信電力制御処理の詳細を説明する。送信電力制御部１４は、算出対象となる電力制御量Δだけ低減させた送信電力を用いて送信信号がフェムトセル１から送信されたと仮定した場合に、ＨＯ候補として選択された移動局に対して隣接セル２から送信される信号に応じた受信品質を推定する。ＨＯ候補として選択された移動局に対して隣接セル２から送信される信号に応じた受信品質とは、ＨＯ候補として選択された移動局が隣接セル２に接続した場合の受信品質である。本実施例では、受信品質の一例として、ＳＩＮＲ（Signal  to  Interference-plus-Noise  power  Radio）が用いられる。算出対象となる電力制御量Δだけ低減させた送信電力を用いて送信信号がフェムトセル１から送信されたと仮定した場合に、ＨＯ候補として選択された移動局に対して隣接セル２から送信される信号に応じたＳＩＮＲＤ＿ＴＰＣは、以下の式（１）を用いて推定される。
【００３７】
【数１】
2014236504.tif 000003
【００３８】
続いて、送信電力制御部１４は、推定した受信品質（本実施例では、ＳＩＮＲＤ＿ＴＰＣ）を目標値に一致させる電力制御量Δを算出する。ＳＩＮＲＤ＿ＴＰＣの目標値をＳＩＮＲｔａｒｇｅｔ＿Ｄとすると、電力制御量Δは、以下の式（２）を用いて算出される。
【００３９】
【数２】
2014236504.tif 000004
【００４０】
続いて、送信電力制御部１４は、算出した電力制御量Δを基に、送信電力を低減させる制御を行う。例えば、送信電力制御部１４は、無線通信部１１に内蔵されたアンプの利得を調整することによって、電力制御量Δだけ送信電力を低減させる。
【００４１】
図３は、送信電力が低減された場合のフェムトセルのカバレッジの変動を示す図である。図３の例では、フェムトセル１と隣接セル２とのセル境界に位置する移動局２０ａがＨＯ候補として選択され、かつ、移動局２０ａが接続先をフェムトセル１から隣接セル２へ切り替えた状態を示している。フェムトセル１から送信される送信電力が送信電力制御部１４によって低減された場合、図３の矢印に示すように、フェムトセル１のカバレッジが縮減される。換言すれば、フェムトセル１から送信される送信信号のうちＨＯ候補として選択された移動局２０ａに達する信号が減少する。
【００４２】
なお、送信電力制御部１４は、送信電力を低減させる制御を行う場合に、ＨＯ候補として選択されなかった移動局、すなわち、フェムトセル１に残留する移動局の通信品質を維持するために、電力制御量Δの上限値Δｍａｘを規定することもできる。電力制御量Δの上限値Δｍａｘを規定する手法を以下説明する。送信電力制御部１４は、算出対象となる電力制御量Δだけ低減させた送信電力を用いて送信信号がフェムトセル１から送信されたと仮定した場合に、ＨＯ候補として選択されなかった移動局に対してフェムトセル１から送信される送信信号に応じた受信品質を推定する。そして、送信電力制御部１４は、推定した受信品質が所定の下限値を下回らないように電力制御量Δの上限値Δｍａｘを規定する。ここで、フェムトセル１に残留する移動局のＳＩＮＲの下限値をＳＩＮＲｔａｒｇｅｔ＿Ｓ、フェムトセル１に残留する移動局の中で最もＳＩＮＲの低い移動局のＳＩＮＲをＳＩＮＲＳ＿ｍｉｎとする。この場合、電力制御量Δと、電力制御量Δの上限値Δｍａｘとの関係は、以下の式（３）となる。
【００４３】
【数３】
2014236504.tif 000005
【００４４】
また、送信電力制御部１４は、送信電力を低減させる制御の実行を開始してから所定時間が経過した場合に、低減させた送信電力を当該制御の実行前の値まで回復させる。ただし、送信電力が制御の実行前の値まで瞬時に回復した場合、フェムトセル１から送信される送信信号と、隣接セル２から送信される信号との干渉の度合いが急増してしまう。そこで、本実施例の送信電力制御部１４は、低減させた送信電力を当該制御の実行前の初期値まで段階的に回復させる。詳細には、送信電力制御部１４は、電力制御量Δだけ送信電力を低減させた時刻０から所定時間Ｔｓｈｒｉｎｋが経過した場合に、図４に示すように、送信電力の初期値ＴｘＰｏｗ０を上限として、周期Ｔｒｅｃｏｖでαｒｅｃｏｖずつ段階的に送信電力を増加させる。なお、図４は、送信電力を回復させる処理を説明するための説明図である。図４において、横軸は、時間ｔを示し、縦軸は、送信電力ＴｘＰｏｗを示す。送信電力ＴｘＰｏｗは、以下の式（４）により表される。
【００４５】
【数４】
2014236504.tif 000006
【００４６】
図２の説明に戻る。ＨＯ指示部１５は、選択完了通知およびＨＯ候補の情報をＨＯ候補選択部１３から受け付ける。ＨＯ指示部１５は、ＨＯ候補として選択された移動局に対してＨＯ処理の実行を指示する。詳細には、ＨＯ指示部１５は、ＨＯ候補として選択された移動局を隣接セル２に接続する旨を要求するＨＯ要求を隣接セル２を形成する基地局１０−２に送信する。そして、ＨＯ指示部１５は、ＨＯ要求を容認する容認応答であるＡｃｋ応答を基地局１０−２から受信した場合に、ＨＯ候補として選択された移動局に対してＨＯ処理の実行を指示する指示信号を無線通信部１１を介して送信する。
【００４７】
呼接続部１６は、無線通信部１１を介して未接続移動局からの接続要求が受信された場合、未接続移動局を接続移動局としてフェムトセル１に接続する。そして、呼接続部１６は、未接続移動局が接続移動局としてフェムトセル１に接続されたタイミングをＨＯ候補選択部１３へ通知する。
【００４８】
また、呼接続部１６は、無線通信部１１から入力される無線信号を用いて、フェムトセル１に接続された移動局の数、すなわち、接続移動局の数ＮＵＥを検出する。そして、呼接続部１６は、接続移動局の数ＮＵＥを検出結果として接続移動局数監視部１２へ出力する。
【００４９】
次に、図５を用いて、本実施例に係るフェムト基地局１０−１が、未接続移動局をフェムトセル１に接続させた後にＨＯ候補として選択した移動局に対してＨＯ処理を実行させる処理の流れを説明する。図５は、実施例１に係るフェムト基地局が、未接続移動局をフェムトセルに接続させた後にＨＯ候補として選択した移動局に対してＨＯ処理を実行させる処理の流れを説明するための説明図である。図５の例では、フェムトセル１に接続可能な移動局の数を示す閾値Ｎｍａｘが「１」であり、かつ、閾値Ｎｍａｘが最大接続数Ｍよりも小さい値に設定されているものとする。また、移動局２０ａがフェムトセル１に現に接続しているものとする。
【００５０】
フェムト基地局１０−１は、フェムトセル１に在圏するが、フェムトセル１に接続していない未接続移動局である移動局２０ｂから送信された接続要求Ｒ１を受信すると（図５（１）参照）、移動局２０ｂをフェムトセル１に接続する（図５（２）参照）。
【００５１】
そして、フェムト基地局１０−１は、移動局２０ｂがフェムトセル１に接続された後に、接続移動局の数を監視し、監視された接続移動局の数ＮＵＥが閾値Ｎｍａｘ＝「１」を超過したか否かを判定する。図５（２）において、接続移動局の数ＮＵＥ＝「２」が閾値Ｎｍａｘ＝「１」を超過しているので、フェムト基地局１０−１は、接続移動局である移動局２０ａ，２０ｂの中から、ＨＯ候補を選択する。ここでは、接続移動局となる移動局２０ａ，２０ｂの中から、フェムトセル１と隣接セル２とのセル境界に位置する移動局２０ａがＨＯ候補として選択されるものとする。そして、フェムト基地局１０−１は、フェムトセル１から送信される送信信号のうちＨＯ候補として選択された移動局２０ａに達する信号が減少するように、送信電力を低減させる制御を行う。
【００５２】
続いて、フェムト基地局１０−１は、ＨＯ候補として選択された移動局２０ａに対してＨＯ処理の実行を指示する指示信号Ｄ１を送信することにより、移動局２０ａの接続先をフェムトセル１から隣接セル２へ切り替えるＨＯ処理を実行させる（図５（３）参照）。
【００５３】
次に、図６を用いて、本実施例に係るフェムト基地局１０−１によるＨＯ制御処理の処理手順を説明する。図６は、実施例１に係るフェムト基地局によるＨＯ制御処理の処理手順を示すフローチャートである。
【００５４】
図６に示すように、フェムト基地局１０−１の呼接続部１６は、未接続移動局からの接続要求が受信されていない場合には（ステップＳ１０１Ｎｏ）、処理を再度ステップＳ１０１に戻す。呼接続部１６は、未接続移動局からの接続要求が受信された場合には（ステップＳ１０１Ｙｅｓ）、接続移動局の数ＮＵＥが最大接続数Ｍよりも小さいか否かを判定する（ステップＳ１０２）。呼接続部１６は、接続移動局の数ＮＵＥが最大接続数Ｍ以上である場合には（ステップＳ１０２Ｎｏ）、処理をステップＳ１０５へ移行する。
【００５５】
一方、呼接続部１６は、接続移動局の数ＮＵＥが最大接続数Ｍよりも小さい場合には（ステップＳ１０２Ｙｅｓ）、未接続移動局をフェムトセル１に接続する（ステップＳ１０３）。
【００５６】
その後、ＨＯ候補選択部１３は、接続移動局数監視部１２による監視結果を基に、接続移動局の数ＮＵＥがフェムトセル１に接続可能な移動局の数を示す閾値Ｎｍａｘを超過したか否かを判定する（ステップＳ１０４）。ＨＯ候補選択部１３は、接続移動局の数ＮＵＥが閾値Ｎｍａｘを超過していない場合には（ステップＳ１０４Ｎｏ）、処理を終了する。
【００５７】
一方、ＨＯ候補選択部１３は、接続移動局の数ＮＵＥが閾値Ｎｍａｘを超過した場合には（ステップＳ１０４Ｙｅｓ）、処理をＨＯ候補選択処理、送信電力制御処理およびＨＯ指示処理へ移行する（ステップＳ１０５）。
【００５８】
次に、図７を用いて、図６のステップＳ１０５に示したＨＯ候補選択処理、送信電力制御処理およびＨＯ指示処理の全体の流れの一例を説明する。図７は、実施例１に係るフェムト基地局によるＨＯ候補選択処理、送信電力制御処理およびＨＯ指示処理の全体の流れの一例を示すシーケンス図である。
【００５９】
図７に示すように、フェムト基地局１０−１のＨＯ候補選択部１３は、ＨＯ候補選択処理を実行する（ステップＳ１１３）。
【００６０】
ここで、図８を用いて、図７のステップＳ１１３に示したＨＯ候補選択処理の処理手順を説明する。図８は、実施例１に係るフェムト基地局によるＨＯ候補選択処理の処理手順を示すフローチャートである。
【００６１】
図８に示すように、フェムト基地局１０−１のＨＯ候補選択部１３は、測定指示に応じて接続移動局である移動局２０ａ，２０ｂによって報告された測定値を取得する（ステップＳ１２１）。接続移動局によって報告された測定値には、例えば、フェムトセル１から送信される送信信号に応じた受信電力と、フェムトセル１から送信される送信信号に応じた受信品質とが含まれる。なお、ＨＯ候補選択部１３は、取得した測定値を接続移動局ごとに保持する。
【００６２】
ＨＯ候補選択部１３は、接続移動局である移動局２０ａ，２０ｂのうちフェムトセル１から送信される送信信号に応じた受信電力または受信品質が最小となる移動局をＨＯ候補として選択する（ステップＳ１２２）。本実施例では、ＨＯ候補選択部１３は、フェムトセル１から送信される送信信号に応じた受信電力が最小となる移動局２０ａをＨＯ候補として選択するものとする。ＨＯ候補選択部１３は、ＨＯ候補の選択を完了すると、その旨を示す選択完了通知およびＨＯ候補の情報を送信電力制御部１４およびＨＯ指示部１５へ出力する。
【００６３】
図７の説明に戻る。ＨＯ指示部１５は、選択完了通知およびＨＯ候補の情報をＨＯ候補選択部１３から受け付けると、ＨＯ候補として選択された移動局２０ａを隣接セル２に接続する旨を要求するＨＯ要求を隣接セル２を形成する基地局１０−２へ送信する（ステップＳ１１４）。ＨＯ要求を受信した基地局１０−２は、ＨＯ要求を容認する容認応答であるＡｃｋ応答をフェムト基地局１０−１へ送信する（ステップＳ１１５）。
【００６４】
ＨＯ指示部１５は、Ａｃｋ応答を基地局１０−２から受信した場合に、ＨＯ候補として選択された移動局２０ａに対してＨＯ処理の実行を指示する指示信号を送信する（ステップＳ１１６）。その後、送信電力制御部１４は、送信電力制御処理を実行する（ステップＳ１１７）。
【００６５】
ここで、図９を用いて、図７に示した送信電力制御処理の処理手順を説明する。図９は、実施例１に係るフェムト基地局による送信電力制御処理の処理手順を示すフローチャートである。
【００６６】
図９に示すように、フェムト基地局１０−１の送信電力制御部１４は、ＨＯ候補選択部１３からの選択完了通知を契機として、電力制御量Δを算出する（ステップＳ１３１）。例えば、送信電力制御部１４は、算出対象となる電力制御量Δだけ低減させた送信電力を用いて送信信号がフェムトセル１から送信されたと仮定した場合に、ＨＯ候補としての移動局２０ａに対して隣接セル２から送信される信号に応じたＳＩＮＲＤ＿ＴＰＣを推定する。そして、送信電力制御部１４は、推定したＳＩＮＲＤ＿ＴＰＣを目標値ＳＩＮＲｔａｒｇｅｔ＿Ｄに一致させる電力制御量Δを算出する。
【００６７】
送信電力制御部１４は、算出した電力制御量Δだけ送信電力を低減させる制御を行う（ステップＳ１３２）。
【００６８】
図７の説明に戻る。送信電力制御部１４による送信電力制御の完了後に、ＨＯ候補として選択された移動局２０ａは、ＨＯ処理を実行して接続先をフェムトセル１から隣接セル２へ切り替える（ステップＳ１１８）。
【００６９】
なお、図７に示した例では、ステップＳ１１６の処理の後に、ステップＳ１１７の処理が実行される場合を示したが、ステップＳ１１７の処理の後に、ステップＳ１１６の処理が実行されてもよい。
【００７０】
次に、図１０を用いて、本実施例に係るフェムト基地局１０−１による送信電力回復処理の処理手順を説明する。図１０は、実施例１に係るフェムト基地局による送信電力回復処理の処理手順を示すフローチャートである。
【００７１】
図１０に示すように、フェムト基地局１０−１の送信電力制御部１４は、送信電力を低減していない場合には（ステップＳ１４１Ｎｏ）、処理を再度ステップＳ１４１へ移行する。一方、送信電力制御部１４は、送信電力を低減した場合には（ステップＳ１４１Ｙｅｓ）、タイマｔを初期化し、かつ、タイマ満了値Ｔに所定時間Ｔｓｈｒｉｎｋを設定する（ステップＳ１４２）。
【００７２】
送信電力制御部１４は、タイマｔがタイマ満了値Ｔ以上であるか否かを判定する（ステップＳ１４３）。送信電力制御部１４は、タイマｔがタイマ満了値Ｔよりも小さい場合に（ステップＳ１４３Ｎｏ）、タイマｔをインクリメントし（ステップＳ１４４）、処理を再度ステップＳ１４３へ移行する。
【００７３】
一方、送信電力制御部１４は、タイマｔがタイマ満了値Ｔ以上となった場合に（ステップＳ１４３Ｙｅｓ）、送信電力をαｒｅｃｏｖだけ増加させる（ステップＳ１４５）。その後、送信電力制御部１４は、タイマｔを初期化し、かつ、タイマ満了値Ｔに周期Ｔｒｅｃｏｖを設定する（ステップＳ１４６）。
【００７４】
送信電力制御部１４は、送信電力ＴｘＰｏｗが初期値ＴｘＰｏｗ０以上であるか否かを判定し（ステップＳ１４７）、送信電力ＴｘＰｏｗが初期値ＴｘＰｏｗ０未満である場合に（ステップＳ１４７Ｎｏ）、処理を再度ステップＳ１４３へ移行する。一方、送信電力制御部１４は、送信電力ＴｘＰｏｗが初期値ＴｘＰｏｗ０以上である場合に（ステップＳ１４７Ｙｅｓ）、処理を終了する。
【００７５】
上述したように、本実施例のフェムト基地局１０−１は、多数の移動局が自局のフェムトセル１内に集中した場合に、多数の移動局からＨＯ候補を選択し、ＨＯ候補が隣接セル２に接続した場合の受信品質に基づいて、送信信号に係るパラメータを制御する。このため、ＨＯ候補として選択された移動局の接続先をＨＯ先となる隣接セル２に適切に切り替え、かつ、ＨＯ元のフェムトセル１からＨＯ先の隣接セル２への信号の干渉レベルを抑えることができる。結果として、本実施例によれば、多数の移動局が自局のフェムトセル１内に集中した場合に、ＨＯ処理を自律的に行い、かつ、接続数制御によって発生する強制的なＨＯ処理に起因した信号の干渉を抑えることができる。
【００７６】
また、本実施例のフェムト基地局１０−１は、接続移動局のうちフェムトセル１から送信される送信信号に応じた受信電力または受信品質が最小となる移動局をＨＯ候補として選択する。このため、本実施例によれば、ＨＯ元のフェムトセル１から送信される送信信号に応じた受信電力または受信品質が良好である移動局をＨＯ元のフェムトセル１に優先的に残留させることができる。
【００７７】
また、本実施例のフェムト基地局１０−１は、送信信号に係るパラメータとして、送信信号の送信に用いられる送信電力を低減させる制御を実行する。このため、本実施例によれば、フェムトセル１から送信される送信信号のうちＨＯ候補として選択された移動局２０ａに達する信号を容易に減少させることができ、結果として、フェムトセル１のカバレッジを効率的に縮減させることが可能となる。
【００７８】
また、本実施例のフェムト基地局１０−１は、算出対象となる電力制御量だけ低減させた送信電力を用いて送信信号がフェムトセル１から送信されたと仮定した場合に、ＨＯ候補として選択された移動局に対して隣接セル２から送信される信号に応じた受信品質を推定する。そして、フェムト基地局１０−１は、推定した受信品質を目標値に一致させる電力制御量を算出し、算出した電力制御量を基に、送信電力を低減させる制御を行う。このため、本実施例によれば、ＨＯ候補として選択された移動局に対して隣接セル２から送信される信号に応じた受信品質を目標値に維持しつつ、ＨＯ元のフェムトセル１とＨＯ先の隣接セル２との信号の干渉を抑えることができる。
【００７９】
また、本実施例のフェムト基地局１０−１は、算出対象となる電力制御量だけ低減させた送信電力を用いて送信信号がフェムトセル１から送信されたと仮定した場合に、ＨＯ候補でない移動局に対してフェムトセル１から送信される送信信号に応じた受信品質を推定する。そして、フェムト基地局１０−１は、推定した受信品質が所定の下限値を下回らないように電力制御量の上限値を規定する。このため、本実施例によれば、ＨＯ候補として選択されなかった移動局、すなわち、フェムトセル１に残留する移動局の通信品質を適切に維持することができる。
【００８０】
また、本実施例のフェムト基地局１０−１は、送信電力を低減させる制御の実行を開始してから所定時間が経過した場合に、低減させた送信電力を当該制御の実行前の値まで回復させる。このため、本実施例によれば、送信電力を低減させる制御の実行を開始してから所定時間が経過した場合に、送信電力の低減に起因して縮減されたフェムトセル１のカバレッジの大きさを初期の大きさに回復させることができる。
【００８１】
また、本実施例のフェムト基地局１０−１は、ＨＯ候補として選択された移動局を隣接セル２に接続する旨を要求するＨＯ要求を隣接セル２を形成する基地局１０−２に送信する。そして、フェムト基地局１０−１は、ＨＯ要求を容認する容認応答を基地局１０−２から受信した場合に、ＨＯ候補として選択された移動局に対してＨＯ処理の実行を指示する。このため、本実施例によれば、ＨＯ元のフェムト基地局１０−１の主導の下でＨＯ候補の移動局に対してＨＯ処理を適切に実行させることが可能となる。
【００８２】
また、本実施例のフェムト基地局１０−１は、接続要求を送信した未接続移動局が接続移動局としてフェムトセル１に接続された後に、接続移動局の数が閾値を超過したか否かを判定し、超過した場合に、ＨＯ候補として選択された移動局にＨＯ処理を実行させる。このため、本実施例によれば、未接続移動局をフェムトセル１に接続した上で、接続移動局の中から選択されたＨＯ候補の接続先をフェムトセル１から隣接セル２へ切り替えることができる。
【実施例２】
【００８３】
実施例１では、フェムトセル１に現に接続している移動局のうちフェムトセル１から送信される送信信号に応じた受信電力または受信品質が最小となる移動局をＨＯ候補として選択する例を示した。しかしながら、フェムトセル１に現に接続している移動局のうち隣接セルから送信される信号に応じた受信電力または受信品質が最大となる移動局をＨＯ候補として選択してもよい。そこで、実施例２では、フェムトセル１に現に接続している移動局のうち隣接セルから送信される信号に応じた受信電力または受信品質が最大となる移動局をＨＯ候補として選択する例について説明する。
【００８４】
図１１は、実施例２に係るフェムト基地局の構成を示すブロック図である。図１１において、図２と同じ部分には同じ符号を付し、その説明を省略する。図１１に示すように、本実施例に係るフェムト基地局２０−１は、図２に示したＨＯ候補選択部１３に代えて、ＨＯ候補選択部２３を有する。
【００８５】
ＨＯ候補選択部２３は、監視結果の入力を接続移動局数監視部１２から受け付ける。ＨＯ候補選択部２３は、未接続移動局がフェムトセル１に接続されたタイミングの通知を呼接続部１６から受け付ける。ＨＯ候補選択部２３は、呼接続部１６によって未接続移動局がフェムトセル１に接続された後に、監視結果を基に、接続移動局の数ＮＵＥがフェムトセル１に接続可能な移動局の数を示す閾値Ｎｍａｘを超過した否かを判定する。本実施例における閾値Ｎｍａｘは、フェムトセル１に接続可能な移動局の数の上限値であって、フェムト基地局２０−１の装置スペックとして予め規定された上限値を示す最大接続数Ｍよりも小さい値に設定されているものとする。ＨＯ候補選択部２３は、接続移動局の数が閾値を超過した場合に、接続移動局の中から、ＨＯ候補を選択する。
【００８６】
ここで、ＨＯ候補選択部２３によるＨＯ候補選択処理の詳細を説明する。ＨＯ候補選択部２３は、接続移動局の数が閾値Ｎｍａｘを超過した場合に、接続移動局に対して受信電力および受信品質等を含む測定値を測定してフェムト基地局２０−１へ送信すべきことを示す測定指示を無線通信部１１を介して接続移動局へ送信する。ＨＯ候補選択部２３は、測定指示に応じて接続移動局によって報告された測定値を無線通信部１１を介して取得する。接続移動局によって報告された測定値には、例えば、フェムトセル１から送信される送信信号に応じた受信電力ＰＳと、フェムトセル１から送信される送信信号に応じた受信品質ＳＩＮＲＳと、隣接セル２から送信される信号に応じた受信電力ＰＤとが含まれる。隣接セル２から送信される信号に応じた受信電力とは、接続移動局が隣接セル２に接続した場合の受信電力である。ＨＯ候補選択部２３は、受信電力ＰＳ、受信品質ＳＩＮＲＳおよび受信電力ＰＤに基づいて、隣接セル２から送信される信号に応じた受信品質ＳＩＮＲＤを算出する。隣接セル２から送信される信号に応じた受信品質とは、接続移動局が隣接セル２に接続した場合の受信品質である。隣接セル２から送信される信号に応じた受信品質ＳＩＮＲＤは、以下の式（５）を用いて算出される。
【００８７】
【数５】
2014236504.tif 000007
【００８８】
なお、式（５）において、Ｉは、雑音電力を含む干渉電力であり、式（６）を用いて算出される。
【００８９】
【数６】
2014236504.tif 000008
【００９０】
続いて、ＨＯ候補選択部２３は、接続移動局のうち隣接セル２から送信される信号に応じた受信電力ＰＤまたは受信品質ＳＩＮＲＤが最大となる移動局をＨＯ候補として選択する。本実施例では、ＨＯ候補選択部２３は、受信品質ＳＩＮＲＤが最大となる移動局をＨＯ候補として選択する。ＨＯ候補選択部２３は、ＨＯ候補の選択を完了すると、その旨を示す選択完了通知およびＨＯ候補の情報を送信電力制御部１４およびＨＯ指示部１５へ出力する。
【００９１】
次に、図１２を用いて、本実施例に係るフェムト基地局２０−１によるＨＯ候補選択処理の処理手順を説明する。図１２は、実施例２に係るフェムト基地局によるＨＯ候補選択処理の処理手順を示すフローチャートである。なお、図１２のフローチャートに示したＨＯ候補選択処理の処理手順は、図７のステップＳ１１３に示したＨＯ候補選択処理の処理手順に相当する。
【００９２】
図１２に示すように、フェムト基地局２０−１のＨＯ候補選択部２３は、測定指示に応じて接続移動局である移動局２０ａ，２０ｂによって報告された測定値を取得する（ステップＳ１５１）。接続移動局によって報告された測定値には、例えば、フェムトセル１から送信される送信信号に応じた受信電力ＰＳと、フェムトセル１から送信される送信信号に応じた受信品質ＳＩＮＲＳと、隣接セル２から送信される信号に応じた受信電力ＰＤとが含まれる。なお、ＨＯ候補選択部２３は、取得した測定値を接続移動局ごとに保持する。
【００９３】
ＨＯ候補選択部２３は、受信電力ＰＳ、受信品質ＳＩＮＲＳおよび受信電力ＰＤに基づいて、隣接セル２に接続した場合の受信品質ＳＩＮＲＤを算出する（ステップＳ１５２）。例えば、ＨＯ候補選択部２３は、式（５）を用いて受信品質ＳＩＮＲＤを接続移動局ごとに算出する。
【００９４】
ＨＯ候補選択部２３は、接続移動局のうち隣接セル２から送信される信号に応じた受信電力ＰＤまたは受信品質ＳＩＮＲＤが最大となる移動局をＨＯ候補として選択する（ステップＳ１５３）。本実施例では、ＨＯ候補選択部２３は、受信品質ＳＩＮＲＤが最大となる移動局をＨＯ候補として選択する。ＨＯ候補選択部２３は、ＨＯ候補の選択を完了すると、その旨を示す選択完了通知およびＨＯ候補の情報を送信電力制御部１４およびＨＯ指示部１５へ出力する。
【００９５】
上述したように、本実施例のフェムト基地局２０−１は、接続移動局のうち隣接セル２から送信される信号に応じた受信電力または受信品質が最大となる移動局をＨＯ候補として選択する。このため、本実施例によれば、隣接セル２から送信される信号に応じた受信電力または受信品質が良好である移動局の接続先を優先的に隣接セル２へ切り替えることが可能となり、結果として、ＨＯ処理に起因した信号の干渉を効率的に抑えることができる。
【実施例３】
【００９６】
実施例２では、フェムトセル１に現に接続している移動局のうち隣接セル２から送信される信号に応じた受信電力または受信品質が最大となる移動局をＨＯ候補として選択する例を示した。しかしながら、ＨＯ候補として選択した移動局の隣接セル２からの受信電力または受信品質が所定値を満たさない場合に、フェムトセル１から送信される送信信号に応じた受信電力または受信品質が最小となる移動局をＨＯ候補として新たに選択してもよい。そこで、実施例３では、ＨＯ候補として選択した移動局の隣接セル２からの受信電力または受信品質が所定値を満たさない場合に、フェムトセル１から送信される送信信号に応じた受信電力または受信品質が最小となる移動局をＨＯ候補として新たに選択する例について説明する。
【００９７】
図１３は、実施例３に係るフェムト基地局の構成を示すブロック図である。図１３において、図１１と同じ部分には同じ符号を付し、その説明を省略する。図１３に示すように、本実施例に係るフェムト基地局３０−１は、図１１に示したＨＯ候補選択部２３に代えて、ＨＯ候補選択部３３を有する。
【００９８】
ＨＯ候補選択部３３は、図１１に示したＨＯ候補選択部２３と同様に、接続移動局のうち隣接セル２から送信される信号に応じた受信電力ＰＤまたは受信品質ＳＩＮＲＤが最大となる移動局をＨＯ候補として選択する。
【００９９】
さらに、ＨＯ候補選択部３３は、ＨＯ候補として選択した移動局の受信電力ＰＤまたは受信品質ＳＩＮＲＤが所定値を満たすか否かを判定する。そして、ＨＯ候補選択部３３は、受信電力ＰＤまたは受信品質ＳＩＮＲＤが所定値を満たさない場合に、接続移動局のうちフェムトセル１から送信される送信信号に応じた受信電力または受信品質が最小となる移動局をＨＯ候補として新たに選択する。ＨＯ候補選択部３３は、ＨＯ候補の選択を完了すると、その旨を示す選択完了通知およびＨＯ候補の情報を送信電力制御部１４およびＨＯ指示部１５へ出力する。
【０１００】
次に、図１４を用いて、本実施例に係るフェムト基地局３０−１によるＨＯ候補選択処理の処理手順を説明する。図１４は、実施例３に係るフェムト基地局によるＨＯ候補選択処理の処理手順を示すフローチャートである。なお、図１４のフローチャートに示したＨＯ候補選択処理の処理手順は、図７のステップＳ１１３に示したＨＯ候補選択処理の処理手順に相当する。
【０１０１】
図１４に示すように、フェムト基地局３０−１のＨＯ候補選択部３３は、測定指示に応じて接続移動局である移動局２０ａ，２０ｂによって報告された測定値を取得する（ステップＳ１６１）。接続移動局によって報告された測定値には、例えば、フェムトセル１から送信される送信信号に応じた受信電力ＰＳと、フェムトセル１から送信される送信信号に応じた受信品質ＳＩＮＲＳと、隣接セル２から送信される信号に応じた受信電力ＰＤとが含まれる。なお、ＨＯ候補選択部３３は、取得した測定値を接続移動局ごとに保持する。
【０１０２】
ＨＯ候補選択部３３は、受信電力ＰＳ、受信品質ＳＩＮＲＳおよび受信電力ＰＤに基づいて、隣接セル２から送信される信号に応じた受信品質ＳＩＮＲＤを算出する（ステップＳ１６２）。例えば、ＨＯ候補選択部３３は、式（５）を用いて受信品質ＳＩＮＲＤを接続移動局ごとに算出する。
【０１０３】
ＨＯ候補選択部３３は、接続移動局のうち隣接セル２から送信される信号に応じた受信電力ＰＤまたは受信品質ＳＩＮＲＤが最大となる移動局をＨＯ候補として選択する（ステップＳ１６３）。本実施例では、ＨＯ候補選択部３３は、受信品質ＳＩＮＲＤが最大となる移動局をＨＯ候補として選択する。
【０１０４】
ＨＯ候補選択部３３は、ＨＯ候補として選択した移動局の受信電力ＰＤまたは受信品質ＳＩＮＲＤが所定値を満たすか否かを判定する（ステップＳ１６４）。ＨＯ候補選択部３３は、ＨＯ候補として選択した移動局の受信電力ＰＤまたは受信品質ＳＩＮＲＤが所定値を満たす場合には（ステップＳ１６４Ｎｏ）、ＨＯ候補を新たに選択することなく、処理を終了する。
【０１０５】
一方、ＨＯ候補選択部３３は、受信電力ＰＤまたは受信品質ＳＩＮＲＤが所定値を満たさない場合には（ステップＳ１６４Ｙｅｓ）、以下の処理を行う。すなわち、ＨＯ候補選択部３３は、フェムトセル１から送信される送信信号に応じた受信電力ＰＳまたは受信品質ＳＩＮＲＳが最小となる移動局をＨＯ候補として新たに選択する（ステップＳ１６５）。本実施例では、ＨＯ候補選択部３３は、受信電力ＰＳが最小となる移動局をＨＯ候補として新たに選択する。ＨＯ候補選択部３３は、ＨＯ候補の選択を完了すると、その旨を示す選択完了通知およびＨＯ候補の情報を送信電力制御部１４およびＨＯ指示部１５へ出力する。
【０１０６】
上述したように、本実施例のフェムト基地局３０−１は、接続移動局のうち隣接セル２から送信される信号に応じた受信電力または受信品質が最大となる移動局をＨＯ候補として選択する。そして、フェムト基地局３０−１は、ＨＯ候補として選択した移動局の隣接セル２からの受信電力または受信品質が所定値を満たさない場合に、フェムトセル１から送信される送信信号に応じた受信電力または受信品質が最小となる移動局をＨＯ候補として新たに選択する。このため、本実施例によれば、ＨＯ候補として選択した移動局の隣接セル２からの受信電力または受信品質が所定値を満たさない場合に、ＨＯ元のセルから送信される送信信号に応じた受信電力または受信品質が最も悪い移動局をＨＯ候補として新たに選択することができる。
【実施例４】
【０１０７】
実施例１では、送信電力を低減させる制御の実行を開始してから所定時間が経過した場合に、低減させた送信電力を当該制御の実行前の値まで回復させる例を示した。しかしながら、送信電力を低減させる制御を実行している期間において、接続移動局の数が閾値以下となった場合に、低減させた送信電力を当該制御の実行前の値まで回復させてもよい。そこで、実施例４では、送信電力を低減させる制御を実行している期間において、接続移動局の数が閾値以下となった場合に、低減させた送信電力を当該制御の実行前の値まで回復させる例について説明する。
【０１０８】
図１５は、実施例４に係るフェムト基地局の構成を示すブロック図である。図１５において、図２と同じ部分には同じ符号を付し、その説明を省略する。図１５に示すように、本実施例に係るフェムト基地局４０−１は、図２に示した送信電力制御部１４に代えて、送信電力制御部４４を有する。
【０１０９】
送信電力制御部４４は、選択完了通知およびＨＯ候補の情報をＨＯ候補選択部１３から受け付ける。送信電力制御部４４は、図２に示した送信電力制御部１４と同様に、選択完了通知を契機として、フェムトセル１から送信される送信信号のうちＨＯ候補として選択された移動局に達する信号が減少するように、送信電力を低減させる制御を行う。例えば、送信電力制御部４４は、無線通信部１１に内蔵されたアンプの利得を調整することによって、送信電力を低減させる制御を行う。
【０１１０】
さらに、送信電力制御部４４は、監視結果の入力を接続移動局数監視部１２から受け付ける。送信電力制御部４４は、送信電力を低減させる制御の実行を実行している期間において、監視結果を基に、接続移動局の数ＮＵＥがフェムトセル１に接続可能な移動局の数を示す閾値Ｎｍａｘ以下となったか否かを判定する。送信電力制御部４４は、接続移動局の数ＮＵＥが閾値Ｎｍａｘ以下となった場合に、低減させた送信電力を制御の実行前の値まで回復させる。
【０１１１】
ただし、送信電力が制御の実行前の値まで瞬時に回復した場合、フェムトセル１から送信される送信信号と、隣接セル２から送信される信号との干渉の度合いが急増してしまう。そこで、本実施例の送信電力制御部４４は、低減させた送信電力を当該制御の実行前の初期値まで段階的に回復させる。詳細には、送信電力制御部４４は、接続移動局の数ＮＵＥが閾値Ｎｍａｘ以下となった場合に、図１６に示すように、送信電力の初期値ＴｘＰｏｗ０を上限として、周期Ｔｒｅｃｏｖでαｒｅｃｏｖずつ段階的に送信電力を増加させる。なお、図１６は、送信電力を回復させる処理を説明するための説明図である。図１６において、横軸は、時間ｔを示し、縦軸は、送信電力ＴｘＰｏｗを示す。送信電力ＴｘＰｏｗは、上記した式（４）により表される。
【０１１２】
次に、図１７を用いて、本実施例に係るフェムト基地局４０−１による送信電力回復処理の処理手順を説明する。図１７は、実施例４に係るフェムト基地局による送信電力回復処理の処理手順を示すフローチャートである。
【０１１３】
図１７に示すように、フェムト基地局４０−１の送信電力制御部４４は、送信電力を低減していない場合には（ステップＳ１７１Ｎｏ）、処理を再度ステップＳ１７１へ移行する。一方、送信電力制御部４４は、送信電力を低減した場合には（ステップＳ１７１Ｙｅｓ）、監視結果を基に、接続移動局の数ＮＵＥがフェムトセル１に接続可能な移動局の数を示す閾値Ｎｍａｘ以下となったか否かを判定する（ステップＳ１７２）。
【０１１４】
送信電力制御部４４は、接続移動局の数ＮＵＥが閾値Ｎｍａｘを超過している場合には（ステップＳ１７２Ｎｏ）、処理を再度ステップＳ１７２へ移行する。
【０１１５】
一方、送信電力制御部４４は、接続移動局の数ＮＵＥが閾値Ｎｍａｘ以下となった場合には（ステップＳ１７２Ｙｅｓ）、タイマｔを初期化し、かつ、タイマ満了値Ｔに「０」を設定する（ステップＳ１７３）。
【０１１６】
送信電力制御部４４は、タイマｔがタイマ満了値Ｔ以上であるか否かを判定する（ステップＳ１７４）。送信電力制御部４４は、タイマｔがタイマ満了値Ｔよりも小さい場合に（ステップＳ１７４Ｎｏ）、タイマｔをインクリメントし（ステップＳ１７５）、処理を再度ステップＳ１７４へ移行する。
【０１１７】
一方、送信電力制御部４４は、タイマｔがタイマ満了値Ｔ以上となった場合に（ステップＳ１７４Ｙｅｓ）、送信電力をαｒｅｃｏｖだけ増加させる（ステップＳ１７６）。その後、送信電力制御部４４は、タイマｔを初期化し、かつ、タイマ満了値Ｔに周期Ｔｒｅｃｏｖを設定する（ステップＳ１７７）。
【０１１８】
送信電力制御部４４は、送信電力ＴｘＰｏｗが初期値ＴｘＰｏｗ０以上であるか否かを判定し（ステップＳ１７８）、送信電力ＴｘＰｏｗが初期値ＴｘＰｏｗ０未満である場合に（ステップＳ１７８Ｎｏ）、処理を再度ステップＳ１７４へ移行する。一方、送信電力制御部４４は、送信電力ＴｘＰｏｗが初期値ＴｘＰｏｗ０以上である場合に（ステップＳ１７８Ｙｅｓ）、処理を終了する。
【０１１９】
上述したように、本実施例のフェムト基地局４０−１は、送信電力を低減させる制御を実行している期間において、接続移動局の数が閾値以下となった場合に、低減させた送信電力を当該制御の実行前の値まで回復させる。このため、本実施例によれば、送信電力を低減させる制御を実行している期間において、接続移動局の数が閾値以下となった場合に、送信電力の低減に起因して縮減されたフェムトセル１のカバレッジの大きさを初期の大きさに回復させることができる。
【実施例５】
【０１２０】
実施例１では、フェムトセル１に接続可能な移動局の数を示す閾値Ｎｍａｘが、フェムトセル１に接続可能な移動局の数の上限値であって、フェムト基地局１０−１の装置スペックとして予め規定された上限値を示す最大接続数Ｍより小さい値に設定される例を示した。しかしながら、閾値Ｎｍａｘが最大接続数Ｍと同じ値に設定されることもある。この場合、接続要求を送信した未接続移動局が接続移動局としてフェムトセル１に接続される前に、フェムト基地局が、接続移動局の数が閾値Ｎｍａｘを超過したか否かを判定するようにしてもよい。なお、この場合、接続移動局の数が閾値Ｎｍａｘを超過したことには、接続移動局の数が閾値Ｎｍａｘ以上となったことが含まれるものとする。そこで、実施例５では、接続要求を送信した未接続移動局が接続移動局としてフェムトセル１に接続される前に、接続移動局の数が閾値Ｎｍａｘを超過したか否かを判定する例について説明する。
【０１２１】
図１８は、実施例５に係るフェムト基地局の構成を示すブロック図である。図１８において、図２と同じ部分には同じ符号を付し、その説明を省略する。図１８に示すように、本実施例に係るフェムト基地局５０−１は、図２に示したＨＯ候補選択部１３、ＨＯ指示部１５および呼接続部１６に代えて、ＨＯ候補選択部５３、ＨＯ指示部５５および呼接続部５６を有する。
【０１２２】
呼接続部５６は、無線通信部１１を介して未接続移動局からの接続要求が受信された場合、未接続移動局を接続移動局としてフェムトセル１に接続することなく、接続要求が受信された旨の通知をＨＯ候補選択部５３へ出力する。呼接続部５６は、ＨＯ処理の実行が指示されたタイミングの通知をＨＯ指示部５５から受け付ける。そして、呼接続部５６は、ＨＯ指示部５５によってＨＯ処理の実行が指示された後に、未接続移動局を接続移動局としてフェムトセル１に接続する。
【０１２３】
ＨＯ候補選択部５３は、監視結果の入力を接続移動局数監視部１２から受け付ける。ＨＯ候補選択部５３は、接続要求が受信された旨の通知を呼接続部５６から受け付ける。ＨＯ候補選択部５３は、接続要求が受信された旨の通知を呼接続部５６から受け付けた場合に、呼接続部５６によって未接続移動局が接続移動局としてフェムトセル１に接続される前に、以下の処理を行う。すなわち、ＨＯ候補選択部５３は、監視結果を基に、接続移動局の数ＮＵＥがフェムトセル１に接続可能な移動局の数を示す閾値Ｎｍａｘを超過した否かを判定する。本実施例における閾値Ｎｍａｘは、フェムトセル１に接続可能な移動局の数の上限値であって、フェムト基地局５０−１の装置スペックとして予め規定された上限値を示す最大接続数Ｍと同じ値に設定されているものとする。ＨＯ候補選択部５３は、接続移動局の数ＮＵＥが閾値Ｎｍａｘを超過した場合に、接続移動局の中から、ＨＯ候補を選択する。なお、ＨＯ候補選択部５３によるＨＯ候補選択処理の詳細は、図２に示したＨＯ候補選択部１３によるＨＯ候補選択処理の詳細と同様である。
【０１２４】
ＨＯ指示部５５は、選択完了通知およびＨＯ候補の情報をＨＯ候補選択部５３から受け付ける。ＨＯ指示部５５は、ＨＯ候補として選択された移動局に対してＨＯ処理の実行を指示する。さらに、ＨＯ指示部５５は、ＨＯ処理の実行が指示されたタイミングを呼接続部５６へ通知する。
【０１２５】
次に、図１９を用いて、本実施例に係るフェムト基地局５０−１が、ＨＯ候補として選択した移動局に対してＨＯ処理を実行させた後に未接続移動局をフェムトセル１に接続させる処理の流れを説明する。図１９は、実施例５に係るフェムト基地局が、ＨＯ候補として選択した移動局に対してＨＯ処理を実行させた後に未接続移動局をフェムトセルに接続させる処理の流れを説明するための説明図である。図１９の例では、フェムトセル１に接続可能な移動局の数を示す閾値Ｎｍａｘが「２」であり、かつ、閾値Ｎｍａｘが最大接続数Ｍと同一の値に設定されているものとする。また、移動局２０ａ，２０ｂがフェムトセル１に現に接続しているものとする。
【０１２６】
フェムト基地局５０−１は、フェムトセル１に在圏するが、フェムトセル１に接続していない未接続移動局である移動局２０ｃから送信された接続要求Ｒ２を受信する（図１９（１）参照）。すると、フェムト基地局５０−１は、接続移動局の数を監視し、監視された接続移動局の数ＮＵＥが閾値Ｎｍａｘ＝「２」を超過したか否かを判定する。図１９（１）において、接続移動局の数ＮＵＥ＝「２」が閾値Ｎｍａｘ＝「２」に達しているので、フェムト基地局５０−１は、接続移動局である移動局２０ａ，２０ｂの中から、ＨＯ候補を選択する。ここでは、接続移動局となる移動局２０ａ，２０ｂの中から、フェムトセル１と隣接セル２とのセル境界に位置する移動局２０ａがＨＯ候補として選択されるものとする。そして、フェムト基地局５０−１は、フェムトセル１から送信される送信信号のうちＨＯ候補として選択された移動局２０ａに達する信号が減少するように、送信電力を低減させる制御を行う。
【０１２７】
続いて、フェムト基地局５０−１は、ＨＯ候補として選択された移動局２０ａに対してＨＯ処理の実行を指示する指示信号Ｄ２を送信することにより、移動局２０ａの接続先をフェムトセル１から隣接セル２へ切り替えるＨＯ処理を実行させる（図１９（２）参照）。
【０１２８】
フェムト基地局５０−１は、移動局２０ａに対してＨＯ処理の実行が指示された後に、未接続移動局である移動局２０ｃを接続移動局としてフェムトセル１に接続する（図１９（３）参照）。
【０１２９】
次に、図２０を用いて、本実施例に係るフェムト基地局５０−１によるＨＯ制御処理の処理手順を説明する。図２０は、実施例５に係るフェムト基地局によるＨＯ制御処理の処理手順を示すフローチャートである。
【０１３０】
図２０に示すように、フェムト基地局５０−１の呼接続部５６は、未接続移動局からの接続要求が受信されていない場合には（ステップＳ１８１Ｎｏ）、処理を再度ステップＳ１８１に戻す。呼接続部５６は、未接続移動局からの接続要求が受信された場合には（ステップＳ１８１Ｙｅｓ）、未接続移動局を接続移動局としてフェムトセル１に接続することなく、接続要求が受信された旨の通知をＨＯ候補選択部５３へ出力する。
【０１３１】
ＨＯ候補選択部５３は、監視結果の入力を接続移動局数監視部１２から受け付ける。ＨＯ候補選択部５３は、接続要求が受信された旨の通知を呼接続部５６から受け付ける。ＨＯ候補選択部５３は、接続要求が受信された旨の通知を呼接続部５６から受け付けた場合に、監視結果を基に、接続移動局の数ＮＵＥがフェムトセル１に接続可能な移動局の数を示す閾値Ｎｍａｘを超過したか否かを判定する（ステップＳ１８２）。ＨＯ候補選択部５３は、接続移動局の数ＮＵＥが閾値Ｎｍａｘを超過していない場合には（ステップＳ１８２Ｎｏ）、処理をステップＳ１８４へ移行する。
【０１３２】
一方、ＨＯ候補選択部５３は、接続移動局の数ＮＵＥが閾値Ｎｍａｘを超過した場合には（ステップＳ１８２Ｙｅｓ）、処理をＨＯ候補選択処理、送信電力制御処理およびＨＯ指示処理へ移行する（ステップＳ１８３）。なお、ステップＳ１８３に示したＨＯ候補選択処理、送信電力制御処理およびＨＯ指示処理は、図６のステップＳ１０５に示したＨＯ候補選択処理、送信電力制御処理およびＨＯ指示処理にそれぞれ相当する。
【０１３３】
ステップＳ１８３が終了した場合、または、接続移動局の数ＮＵＥが閾値Ｎｍａｘを超過していない場合（ステップＳ１８２Ｎｏ）、呼接続部５６は、未接続移動局を接続移動局としてフェムトセル１に接続する（ステップＳ１８４）。
【０１３４】
上述したように、本実施例のフェムト基地局５０−１は、接続要求を送信した未接続移動局がフェムトセル１に接続される前に、接続移動局の数が閾値を超過したか否かを判定し、超過した場合に、ＨＯ候補として選択された移動局にＨＯ処理を実行させる。このため、本実施例によれば、接続移動局の中から選択されたＨＯ候補の接続先をフェムトセル１から隣接セル２へ切り替えた上で、未接続移動局をフェムトセル１に接続することができる。
【０１３５】
（ハードウェア構成）
上記各実施例のフェムト基地局は、例えば、図２１に示したようなハードウェア構成により実現することができる。図２１は、フェムト基地局のハードウェア構成例を示す図である。
【０１３６】
図２１に示すように、フェムト基地局は、ハードウェアの構成要素として、プロセッサ１０１と、メモリ１０２と、ＲＦ（Radio  Frequency）回路１０３とを有する。ＲＦ回路１０３は、アンテナを有する。メモリ１０２は、例えば、ＲＡＭ（Random  Access  Memory）、ＲＯＭ（Read  Only  Memory）、フラッシュメモリにより構成される。無線通信部１１は、例えば、ＲＦ回路１０３等のアナログ回路により実現される。接続移動局数監視部１２、ＨＯ候補選択部１３、送信電力制御部１４、ＨＯ指示部１５および呼接続部１６は、例えば、プロセッサ１０１等の集積回路により実現される。
【０１３７】
また、上記各実施例で説明した各種の処理は、予め用意されたプログラムをコンピュータで実行することで実現できる。この場合、接続移動局数監視部１２、ＨＯ候補選択部１３、送信電力制御部１４、ＨＯ指示部１５及び呼接続部１６により実行される各処理に対応するプログラムがメモリ１０２に記録され、各プログラムがプロセッサ１０１に読み出されてプロセスとして機能する。
【符号の説明】
【０１３８】
１  フェムトセル
２  隣接セル
１０−１、２０−１、３０−１、４０−１、５０−１  フェムト基地局
１１  無線通信部
１１ａ  アンテナ
１２  接続移動局数監視部
１３、２３、３３、５３  ＨＯ候補選択部
１４、４４  送信電力制御部
１５、５５  ＨＯ指示部
１６、５６  呼接続部
【図１】
2014236504.tif 000009
【図２】
2014236504.tif 000010
【図３】
2014236504.tif 000011
【図４】
2014236504.tif 000012
【図５】
2014236504.tif 000013
【図６】
2014236504.tif 000014
【図７】
2014236504.tif 000015
【図８】
2014236504.tif 000016
【図９】
2014236504.tif 000017
【図１０】
2014236504.tif 000018
【図１１】
2014236504.tif 000019
【図１２】
2014236504.tif 000020
【図１３】
2014236504.tif 000021
【図１４】
2014236504.tif 000022
【図１５】
2014236504.tif 000023
【図１６】
2014236504.tif 000024
【図１７】
2014236504.tif 000025
【図１８】
2014236504.tif 000026
【図１９】
2014236504.tif 000027
【図２０】
2014236504.tif 000028
【図２１】
2014236504.tif 000029
【図２２】
2014236504.tif 000030
【図２３】
2014236504.tif 000031